(57)【特許請求の範囲】
【請求項１】
横方向へ延びる両端縁部および縦方向へ延びる両側縁部を画成する不透液性ベースシートと、前記ベースシートの内面に取り付けられた吸液性パネルとから構成され、前記パネルが位置する肌当接面と、前記肌当接面の反対側に位置する肌非当接面とを有する使い捨て着用物品において、
弾性伸縮性かつ実質的に不透液性の肌当接シートが、前記物品の肌当接面に前記縦方向へ伸長状態で取り付けられて前記パネルを被覆し、前記肌当接シートが、前記両端縁部に位置して前記肌当接面に固着された固定領域と、前記固定領域の間に位置して前記物品に非固着かつ前記物品が肌当接面を内側にして前記縦方向へ湾曲したときに前記パネルの上方へ遊離可能な縦方向中央領域と、前記縦方向中央領域の両側を前記横方向内方へ向かって実質的に弧を画く一対の脚周り対向側部と、前記縦方向中央領域に開口する少なくとも一つの開口部とを有し、
前記脚周り対向側部における前記肌当接シートの坪量が、前記脚周り対向側部を除く前記肌当接シートの残余領域のそれよりも大きく、かつ、前記脚周り対向側部の伸長力が、前記残余領域のそれよりも高いことを特徴とする前記物品。
【請求項２】
開口周縁部における前記肌当接シートの坪量が、前記脚周り対向側部と前記開口周縁部とを除く前記肌当接シートの残余領域のそれよりも大きく、かつ、前記開口周縁部の伸長力が、前記脚周り対向側部と前記開口周縁部とを除く前記肌当接シートの残余領域のそれよりも高い請求項１記載の物品。
【請求項３】
前記肌当接シートの上方へ凸となる突条が、前記肌当接シートの縦方向中心線近傍を前記縦方向へ延び、前記突条が、前記肌当接面に対向する前記肌当接シートの対向面を合掌状に重ね合わせて固着することにより形成されている請求項１または請求項２に記載の物品。
【請求項４】
前記肌当接シートの脚周り対向側部と開口周縁部とでは、前記肌当接シートを少なくとも二つに折り重ねて固着することにより、前記脚周り対向側部と前記開口周縁部とにおける坪量と伸長力とが増加している請求項２または請求項３に記載の物品。
【請求項５】
前記両側縁部を縦方向へ延びる実質的に不透液性の防漏シートが、前記ベースシートと前記肌当接シートとの間に配置され、前記防漏シートが、前記両端縁部に固着された固定両端部と、前記両側縁部に固着された固定底部と、前記肌当接シートの対向面に固着された固定頂部とを有する請求項１ないし請求項４いずれかに記載の物品。
【請求項６】
前記防漏シートが、弾性伸縮性を有し、前記肌当接シートと前記防漏シートとが、前記物品の肌当接面に前記縦方向へ伸長状態で取り付けられている請求項５記載の物品。
【請求項７】
前記肌当接シートの脚周り対向側部が、前記ベースシートの両側縁部の内側に位置している請求項１ないし請求項６いずれかに記載の物品。
【発明の詳細な説明】
【０００１】
【発明の属する技術分野】
本発明は、排泄物を吸収、保持する使い捨て着用物品に関する。
【０００２】
【従来の技術】
特開平２−１２１６６２号公報は、不透液性ベースシートと、弾性伸縮性かつ不透液性の肌当接シートと、ベースシートと肌当接シートとの間に介在し、ベースシートに接合された吸液性パネルとを有する使い捨ておむつを開示している。肌当接シートは、その周縁部がベースシートの周縁部に固着されている。肌当接シートの縦方向中央領域には開口部が形成されている。このおむつでは、その着用時に、肌当接シートとパネルとの間に空間が形成され、排泄物が肌当接シートの開口部を通って空間に収容される。このおむつでは、空間に収容された排泄物の着用者の肌への付着が、着用者の肌とパネルとの間に介在する肌当接シートによって阻止される。
【０００３】
【発明が解決しようとする課題】
同号公報に開示のおむつでは、肌当接シートの周縁部がベースシートの周縁部に接合されているので、その着用時に、着用者の動作によってベースシートが動くと、それにともなって肌当接シートも動いてしまい、肌当接シートを着用者の股間部に安定して密着させることができない。また、肌当接シートが着用者の股間部からずれると、肌当接シートの開口部が着用者の排泄位置からずれ、排泄物が肌当接シート上に排泄されてそれが着用者の肌へ付着してしまう場合がある。
【０００４】
本発明の課題は、着用時に肌当接シートが着用者の股間部に安定して密着し、肌当接シートによって肌当接面に残留する排泄物の着用者の肌への付着を確実に防ぐことができる使い捨て着用物品を提供することにある。
【０００５】
【課題を解決するための手段】
前記課題を解決するための本発明の前提は、横方向へ延びる両端縁部および縦方向へ延びる両側縁部を画成する不透液性ベースシートと、前記ベースシートの内面に取り付けられた吸液性パネルとから構成され、前記パネルが位置する肌当接面と、前記肌当接面の反対側に位置する肌非当接面とを有する使い捨て着用物品である。
【０００６】
かかる前提において、本発明の特徴は、弾性伸縮性かつ実質的に不透液性の肌当接シートが、前記物品の肌当接面に前記縦方向へ伸長状態で取り付けられて前記パネルを被覆し、前記肌当接シートが、前記両端縁部に位置して前記肌当接面に固着された固定領域と、前記固定領域の間に位置して前記物品に非固着かつ前記物品が肌当接面を内側にして前記縦方向へ湾曲したときに前記パネルの上方へ遊離可能な縦方向中央領域と、前記縦方向中央領域の両側を前記横方向内方へ向かって実質的に弧を画く一対の脚周り対向側部と、前記縦方向中央領域に開口する少なくとも一つの開口部とを有し、前記脚周り対向側部における前記肌当接シートの坪量が、前記脚周り対向側部を除く前記肌当接シートの残余領域のそれよりも大きく、かつ、前記脚周り対向側部の伸長力が、前記残余領域のそれよりも高いことにある。
【０００７】
本発明は、以下の実施態様を有する。
（１）開口周縁部における前記肌当接シートの坪量が、前記脚周り対向側部と前記開口周縁部とを除く前記肌当接シートの残余領域のそれよりも大きく、かつ、前記開口周縁部の伸長力が、前記脚周り対向側部と前記開口周縁部とを除く前記肌当接シートの残余領域のそれよりも高い。
（２）前記肌当接シートの上方へ凸となる突条が、前記肌当接シートの縦方向中心線近傍を前記縦方向へ延び、前記突条が、前記肌当接面に対向する前記肌当接シートの対向面を合掌状に重ね合わせて固着することにより形成されている。
（３）前記肌当接シートの脚周り対向側部と開口周縁部とでは、前記肌当接シートを少なくとも二つに折り重ねて固着することにより、前記脚周り対向側部と前記開口周縁部とにおける坪量と伸長力とが増加している。
（４）前記両側縁部を縦方向へ延びる実質的に不透液性の防漏シートが、前記ベースシートと前記肌当接シートとの間に配置され、前記防漏シートが、前記両端縁部に固着された固定両端部と、前記両側縁部に固着された固定底部と、前記肌当接シートの対向面に固着された固定頂部とを有する。
（５）前記防漏シートが、弾性伸縮性を有し、前記肌当接シートと前記防漏シートとが、前記物品の肌当接面に前記縦方向へ伸長状態で取り付けられている。
（６）前記肌当接シートの脚周り対向側部が、前記ベースシートの両側縁部の内側に位置している。
【０００８】
【発明の実施の形態】
添付の図面を参照し、本発明にかかる使い捨て着用物品の詳細を開放型の使い捨ておむつを例として説明すると、以下のとおりである。
【０００９】
図１，２は、肌当接面２の側から示すおむつ１Ａの部分破断斜視図と、前後胴周り域２０，２２を連結した着用状態で示すおむつ１Ａの斜視図とである。図３，４は，図１のＡ−Ａ線断面図と、図１のＢ−Ｂ線断面図とであり、図５は、図１のＣ−Ｃ線端面図である。図１では、横方向を矢印Ｘで示し、縦方向を矢印Ｙで示す。なお、おむつ１Ａにおける肌当接面２とは、おむつ１Ａを着用した着用者の肌に対向する面をいい、肌非当接面３とは、着用者の肌に非対向の面をいう。
【００１０】
おむつ１Ａは、透液性トップシート４と、不透液性ベースシート５と、トップシート４とベースシート５との間に介在する吸液性パネル６とから構成されている。パネル６は、その全体がティッシュペーパー（図示せず）に被覆、接合され、ティッシュペーパーを介してトップシート４とベースシート５とに接合されている。おむつ１Ａは、それらシート４，５とパネル６との他に、実質的に不透液性の肌当接シート７を有する。
【００１１】
おむつ１Ａは、縦方向に前胴周り域２０および後胴周り域２２と、前後胴周り域２０，２２の間に位置する股下域２１とを有し、前後胴周り域２０，２２を横方向へ延びる両端縁部１ａと、縦方向へ延びる両側縁部１ｂとを有する。両側縁部１ｂは、股下域２１において横方向内方へ向かって実質的に弧を画いている。おむつ１Ａでは、トップシート４が肌当接面２を画成し、ベースシート５が肌非当接面３を画成している。
【００１２】
後胴周り域２２の端縁部１ａには、横方向へ延びる帯状の胴周り用弾性部材８が伸長下に取り付けられている。両側縁部１ｂには、縦方向へ延びる複数条の脚周り用弾性部材９が伸長下に取り付けられている。
【００１３】
肌当接シート７は、横方向と縦方向とヘ弾性伸縮性を有する繊維不織布であり、縦方向へ伸長させた状態でおむつ１Ａの肌当接面２に取り付けられている。肌当接シート７は、両端縁部１ａに位置する固定領域７ａと、固定領域７ａの間に位置しておむつ１Ａに非固着の縦方向中央領域７ｂとを有し、中央領域７ｂがトップシート４を挟んでパネル６を間接的に被覆している。肌当接シート７の固定領域７ａは、トップシート４に固着されている。
【００１４】
肌当接シート７には、中央領域７ｂの両側を横方向内方へ向かって実質的に弧を画く一対の脚周り対向側部７ｃが延びている。肌当接シート７の中央領域７ｂには、トップシート４の一部が露出する縦方向へ長い開口部８が形成されている。
【００１５】
肌当接シート７では、対向側部７ｃが両側縁部１ｂの内側に位置し、中央領域７ｂにおける横方向の最小寸法が両側縁部１ｂにおける横方向のそれよりも小さい。肌当接シート７では、おむつ１Ａがトップシート４を内側にして縦方向へ湾曲したときに、その張力によって中央領域７ｂがパネル６の上方へ遊離可能である。
【００１６】
肌当接シート７には、その上方へ凸となる突条７ｅが形成されている。突条７ｅは、肌当接シート７の縦中心線Ｏ近傍を縦方向へ延びている。突条７ｅは、トップシート４に対向する肌当接シート７の対向面を合掌状に重ね合わせて固着することにより形成されている。
【００１７】
対向側部７ｃと開口周縁部７ｄとでは、肌当接シート７を対向面の側へ向かって二つに折り重ね、重なり合う肌当接シート７を間欠的に固着している。ゆえに、肌当接シート７では、対向側部７ｃと開口周縁部７ｄとにおける坪量が対向側部７ｃと開口周縁部７ｄとを除く残余領域のそれよりも大きく、対向側部７ｃと開口周縁部７ｄとにおける伸長力が残余領域のそれよりも高い。
【００１８】
肌当接シート７には、一対のフック部材１１が取り付けられている。フック部材１１は、後胴周り域２２の両側に配置されている。ベースシート５には、横方向へ長い矩形のループ部材１２が取り付けられている。ループ部材１２は、前胴周り域２０に配置され、フック部材１１に対する止着域を形成している。
【００１９】
おむつ１Ａを着用するには、後胴周り域２２の両側縁部１ｂを前胴周り域２０の両側縁部１ｂの外側に重ね合わせ、フック部材１１とループ部材１２とを係合させて前胴周り域２０と後胴周り域２２とを連結する。
【００２０】
前後胴周り域２０，２２が連結されたおむつ１Ａには、図２に示すように、胴周り開口１３と一対の脚周り開口１４とが画成されている。おむつ１Ａでは、それがトップシート４を内側にして前後方向へ湾曲し、肌当接シート７の中央領域７ｂがパネル６の上方へ遊離している。
【００２１】
おむつ１Ａには、トップシート４と肌当接シート７との間に空間Ｓが形成されている。おむつ１Ａでは、その着用時に、両端縁部１ａが着用者の胴周りを周り方向へ延び、両側縁部１ｂと対向側部７ｃとが着用者の脚周りを周り方向へ延びる。
【００２２】
おむつ１Ａの着用時では、パネル６の上方へ遊離した肌当接シート７の中央領域７ｂが着用者の股間部に安定して密着するので、おむつ１Ａの着用中に着用者の動作によっておむつ１Ａが動いたとしても、肌当接シート７が着用者の股間部からずれてしまうことはない。おむつ１Ａでは、排泄物の着用者の肌への付着が股間部に密着する肌当接シート７によって阻止される。
【００２３】
肌当接シート７では、対向側部７ｃがおむつ１Ａの両側縁部１ｂの内側に位置し、中央領域７ｂの横方向の最小寸法が両側縁部１ｂのそれよりも小さいので、おむつ１Ａを着用したときに、肌当接シート７が着用者の股間部に合致し、着用中の違和感がない。
【００２４】
肌当接シート７では、対向側部７ｃの伸長力が残余領域のそれよりも高く、対向側部７ｃが高い伸長応力を発現して着用者の脚周りを締め付けるので、着用者の股間部に対する肌当接シート７の密着安定性が向上する。
【００２５】
肌当接シート７では、開口周縁部７ｄが撓んでそこに折目が形成されると、トップシート４と肌当接シート７とが接触したときに、トップシート４上に残留する尿や軟便等の排泄物が折目を伝わって着用者の肌に付着してしまう。このおむつ１Ａでは、肌当接シート７の開口周縁部７ｄの坪量が残余領域のそれよりも大きく、かつ、伸長力が残余領域のそれよりも高いので、開口周縁部７ｄに折目が形成され難く、開口周縁部７ｄにおける排泄物の付着を低減させることができる。
【００２６】
おむつ１Ａでは、肌当接シート７の対向側部７ｃと開口周縁部７ｄとに別途弾性伸縮性部材を伸長状態で取り付けてはいないので、対向側部７ｃと開口周縁部７ｄとに多数のギャザーが形成されることはなく、ギャザーが肌に接触することによる不快感がない。
【００２７】
おむつ１Ａでは、肌当接シート７に縦方向へ延びる突条７ｅが形成されているので、おむつ１Ａを着用したときに、突条７ｅが着用者の臀部の割れ目に納まり、突条７ｅが肌当接シート７の横方向の移動を抑制するので、肌当接シート７の横方向のずれを防ぐことができる。
【００２８】
おむつ１Ａの両端縁部１ａでは、図３に示すように、トップシート４とベースシート５との端部４ａ，５ａがパネル６の両端部６ａから縦方向外方へ延び、それらシート４，５の端部４ａ，５ａが互いに重なり合った状態で固着されている。胴周り用弾性部材９は、トップシート４とベースシート５との間に介在し、それらシート４，５に固着されている。
【００２９】
股下域２１におけるおむつ１Ａの両側縁部１ｂでは、図４に示すように、トップシート４とベースシート５との側部４ｂ，５ｂがパネル６の両側縁６ｂから横方向外方へ延び、それらシート４，５の側部４ｂ，５ｂが互いに重なり合った状態で固着されている。脚周り用弾性部材１０は、トップシート４とベースシート５との間に介在し、それらシート４，５に固着されている。
【００３０】
後胴周り域２２におけるおむつ１Ａの両側縁部１ｂでは、図５に示すように、ベースシート５の側部５ｂと肌当接シート７とがトップシート４の側部４ｂから横方向外方へ延びている。
【００３１】
図６，７は、他の実施の形態を示すおむつ１Ｂの部分破断斜視図と、図６のおむつ１Ｂの分解斜視図とであり、図８，９は、図６のＤ−Ｄ線断面図と、図６のＥ−Ｅ線端面図とである。図５では、縦方向を矢印Ｙで示し、横方向を矢印Ｘで示す。図６のおむつ１Ｂが図１のそれと異なる点は、以下のとおりである。
【００３２】
このおむつ１Ｂには、横方向と縦方向とヘ弾性伸縮性を有する繊維不織布から形成された実質的に不透液性の防漏シート１５が取り付けられている。防漏シート１５は、トップシート４と肌当接シート７との間に配置され、横方向へ互いに離間対向して両側縁部１ｂを縦方向へ延びている。おむつ１Ｂでは、肌当接シート７と防漏シート１５とが縦方向へ伸長状態で肌当接面２に取り付けられている。
【００３３】
防漏シート１５は、おむつ１Ｂの両端縁部１ａに固着された固定両端部１５ａと、おむつ１Ｂの両側縁部１ｂに固着された固定底部１５ｂと、肌当接シート７の対向面に固着された固定頂部１５ｃとを有する。
【００３４】
肌当接シート７は、両端縁部１ａに位置する固定領域７ａと、固定領域７ａの間に位置する縦方向中央領域７ｂとを有する。肌当接シート７には、中央領域７ｂの両側を一対の脚周り対向側部７ｃが延びている。中央領域７ｂには、縦方向へ長い開口部８が形成されている。  肌当接シート７の固定領域７ａは、トップシート４とベースシート５とに固着されている。
【００３５】
おむつ１Ｂでは、それがトップシート４を内側にして縦方向へ湾曲したときに、肌当接シート７の張力によって中央領域７ｂがパネル６の上方へ遊離し、防漏シート１５が縦方向へ収縮してトップシート４と肌当接シート７との間に起立する。おむつ１Ｂには、図８に示すように、トップシート４と肌当接シート７と防漏シート１５とに囲繞された空間Ｓが形成されている。
【００３６】
股下域２１におけるおむつ１Ｂの両側縁部１ｂでは、図８に示すように、トップシート４の側部４ｂがパネル６の両側縁６ｂから横方向外方へわずかに延び、トップシート４の側部４ｂからさらに横方向外方へベースシート５の側部５ｂと防漏シート１５の固定底部１５ｂとが延びている。側部４ｂは、側部５ｂと固定底部１５ｃとの間に介在し、それらに固着されている。側部５ｂと固定底部１５ｂとは、それらが互いに重なり合った状態で固着されている。脚周り用弾性部材１０は、ベースシート５と防漏シート１５との間に介在し、それらシート５，１５に固着されている。
【００３７】
後胴周り域２２におけるおむつ１Ｂの両側縁部１ｂでは、図９に示すように、防漏シート１５の固定底部１５ｃから横方向外方へベースシート５の側部５ｂと肌当接シート７とが延びている。防漏シート１５は、固定底部１５ｂから固定頂部１５ｃに向かっておむつ１Ｂの横方向内方へ傾倒している。
【００３８】
おむつ１Ｂでは、トップシート４上を拡散する尿や軟便がおむつ１Ｂの両側縁部１ｂに到達したとしても、防漏シート１５が起立してそれら排泄物に対する障壁を形成するので、両側縁部１ｂからそれら排泄物が漏れてしまうことはない。おむつ１Ｂでは、排泄物の着用者の肌への付着が肌当接シート７によって阻止される。
【００３９】
肌当接シート７や防漏シート１５には、メルトブローンやスパンボンドの各製法により製造された弾性伸縮性の疎水性繊維不織布を使用することができる。弾性伸縮性不織布の構成繊維としては、熱可塑性エラストマー樹脂を溶融、紡糸した伸縮性繊維を使用することができる。また、弾性伸縮性の繊維不織布としては、熱可塑性エラストマー樹脂繊維からなる疎水性繊維不織布の少なくとも片面に、ポリプロピレン、ポリエチレン、ポリエステル、のいずれかの熱可塑性合成樹脂を溶融、紡糸した捲縮繊維からなる疎水性繊維不織布を貼り合わせた複合不織布を使用することもできる。
【００４０】
トップシート４には、親水性繊維不織布、または、微細な多数の開孔を有するプラスチックフィルムを使用することができる。ベースシート５には、疎水性繊維不織布、不透液性のプラスチックフィルム、疎水性繊維不織布を重ね合わせた２層の不織布、疎水性繊維不織布にプラスチックフィルムをラミネートした複合シートのいずれかを使用することができる。
【００４１】
また、ベースシート５には、高い耐水性を有するメルトブローン法による繊維不織布を、高い強度を有しかつ柔軟性に富んだスパンボンド法による繊維不織布で挟んだ複合不織布を使用することもできる。
【００４２】
トップシート４やベースシート５を形成する不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維またはサイドバイサイド型複合繊維を使用することができる。
【００４３】
パネル６は、フラッフパルプと高吸収性ポリマー粒子との混合物、または、フラッフパルプと高吸収性ポリマー粒子と熱可塑性合成樹脂繊維との混合物であり、所要の厚みに圧縮されている。高吸収性ポリマーとしては、デンプン系、セルロース系、合成ポリマー系のものを使用することができる。
【００４４】
図６のおむつ１Ｂでは、ベースシート５に吸液性パネル６が取り付けられていればよく、トップシート４は必ずしも必要ではない。この場合、パネル６としては、圧縮復元弾性を有する繊維ウェブの繊維間隙に高吸収性ポリマー粒子を分散、保持させ、繊維ウェブを所要の厚みに圧縮して形態安定性を付与したものを使用することが好ましい。繊維ウェブの構成繊維としては、ポリプロピレンやポリエチレン等のポリオレフィン系繊維、ポリエチレンテレフタレートやポリブチレンテレフタレート等のポリエステル系繊維、ナイロン６６やナイロン６等のポリアミド系繊維、アクリル系繊維、パルプやレーヨン、アセテート等のセルロース系繊維のうちのいずれかを使用することができる。
【００４５】
図６のおむつ１Ｂでは、防漏シート１５が非弾性伸縮性の疎水性繊維不織布から形成されていてもよい。この場合では、縦方向へ伸長状態にある肌当接シート７の対向面に防漏シート１５の固定頂部を固着し、肌当接シート７を縦方向へ伸長させた状態でおむつ１Ｂの肌当接面２に取り付ける。
【００４６】
それら図示例のおむつ１Ａ，１Ｂでは、肌当接シート７の中央領域７ｂに二つの開口部が形成されていてもよい。この場合では、おむつ１Ａ，１Ｂの着用時に、開口部各々が着用者の泌尿器と肛門とに位置するように、開口部を前胴周り域２０と後胴周り域２２とに形成することが好ましい。
【００４７】
トップシート４とベースシート５との固着、それらシート４，５に対する肌当接シート７や防漏シート１５の固着、パネル６の接合、弾性部材９，１０の取り付けには、ホットメルト型接着剤、または、ヒートシールやソニックシール等の熱による溶着手段を使用することができる。
【００４８】
この発明は、開放型のおむつの他に、前後胴周り域があらかじめ連結されたパンツ型のおむつにも実施することができる。
【００４９】
【発明の効果】
本発明にかかる使い捨て着用物品によれば、物品が肌当接面を内側にして前後方向へ湾曲したときに、肌当接シートの張力によってその前後方向中央領域が吸液性パネルの上方へ遊離し、肌当接シートの中央領域が着用者の股間部に密着する。物品では、その着用中に、着用者の動作によって物品が動いたとしても、肌当接シートが着用者の股間部からずれてしまうことはない。物品では、着用者の肌と物品の肌当接面との間に、着用者の股間部に密着する実質的に不透液性の肌当接シートが介在するので、肌当接面上に残留する尿や軟便の着用者の肌への付着を確実に防ぐことができる。
【００５０】
物品では、その着用時に、肌当接シートが着用者の股間部に合致して違和感がなく、肌当接シートの対向側部が着用者の脚周りを強く締め付けるので、着用者の股間部に対する肌当接シートの密着安定性を向上させることができる。また、物品では、肌当接シートの開口周縁部に折目が形成され難く、開口周縁部における排泄物の付着を低減させることができる。
【００５１】
肌当接シートに縦方向へ延びる突条が形成された物品では、それを着用したときに、突条が肌当接シートの横方向の移動を抑制するので、肌当接シートの横方向のずれを防ぐことができる。
【００５２】
両側縁部を前後方向へ延びる防漏シートを取り付けた物品では、その着用時に防漏シートが肌当接面と肌当接シートとの間に起立し、排泄物に対する障壁を形成するので、肌当接面上を拡散する排泄物が物品の両側縁部に到達したとしても、両側縁部からのそれら排泄物の漏れを防ぐことができる。
【図面の簡単な説明】
【図１】肌当接面の側から示すおむつの部分破断斜視図。
【図２】前後胴周り域を連結した着用状態で示すおむつの部分破断斜視図。
【図３】図１のＡ−Ａ線断面図。
【図４】図１のＢ−Ｂ線断面図。
【図５】図１のＣ−Ｃ線端面図。
【図６】他の実施の形態を示すおむつの部分破断斜視図。
【図７】図６のおむつの分解斜視図。
【図８】図６のＤ−Ｄ線断面図。
【図９】図６のＥ−Ｅ線端面図。
【符号の説明】
１Ａ，１Ｂ    使い捨ておむつ（使い捨て着用物品）
１ａ          両端縁部
１ｂ          両側縁部
２            肌当接面
３            肌非当接面
５            不透液性ベースシート
６            吸液性パネル
７            肌当接シート
７ａ          固定領域
７ｂ          縦方方向中央領域
７ｃ          脚周り対向側部
７ｄ          開口周縁部
７ｅ          突条
１５            防漏シート
１５ａ          固定両端部
１５ｂ          固定底部
１５ｃ          固定頂部
Ｏ            縦方向中心線
【図１】
0003701864.tif 000002
【図２】
0003701864.tif 000003
【図３】
0003701864.tif 000004
【図４】
0003701864.tif 000005
【図５】
0003701864.tif 000006
【図６】
0003701864.tif 000007
【図７】
0003701864.tif 000008
【図８】
0003701864.tif 000009
【図９】
0003701864.tif 000010